(57)【要約】  １組のスピーカ（２０）に信号を出力するように構成される信号生成モジュール（２６）を含み、スピーカ（２０）は、各ハウジング（１８）の上に取り付けられ、メガネフレームユニット（３０）によって支えられるように構成されているオーディオ装置。
2008545287.tif 000002
【特許請求の範囲】
【請求項１】
１組のスピーカに信号を出力する信号生成モジュールを含むオーディオ装置であって、
前記スピーカは、それぞれのハウジングの上に取り付けられ、前記ハウジングの一方は電力供給ユニットを含み、前記ハウジングの他方は信号生成モジュール少なくとも一部を含み、前記ハウジングは、メガネフレームによって支えられるように取り付けられるオーディオ装置。
【請求項２】
前記ハウジングは、耳の上及び／又は後ろに装着されるように構成される支持領域を画定する請求項１に記載のオーディオ装置。
【請求項３】
前記ハウジングは、連結されるハウジングがメガネのアーム又はイヤホンによって支えられるように構成される支持領域を画定する請求項１に記載のオーディオ装置。
【請求項４】
前記モジュールは、メガネのアームの中に設けられる請求項１乃至３の何れか１項に記載のオーディオ装置。
【請求項５】
前記メガネフレームは、取り外し可能なフェイスコンポーネントを有する請求項１に記載のオーディオ装置。
【請求項６】
メガネのための安全ストラップとして機能するストラップを含む請求項１乃至５の何れか１項に記載のオーディオ装置。
【請求項７】
前記モジュールは、他のオーディオ装置に接続される送信機から送信される信号を受信するように構成されるラジオ受信機を含む請求項１乃至６の何れか１項に記載のオーディオ装置。
【請求項８】
前記モジュールは、前記メガネのイヤホンの一方の中に設けられ、前記モジュールからの出力信号を前記ハウジング及びスピーカに送信する電気コネクタ配置を備える請求項１乃至７の何れか１項に記載のオーディオ装置。
【請求項９】
前記コネクタは、前記ハウジングの一方に前記信号を供給し、前記ストラップは、前記信号が前記ハウジングの他方を通過できるように前記ハウジングを相互接続するケーブルを支える請求項８に記載のオーディオ装置。
【請求項１０】
前記ハウジングは、前記ハウジングに対する前記メガネの位置を決める位置決め手段を備える請求項１乃至９の何れか１項に記載のオーディオ装置。
【請求項１１】
前記メガネは、電力及び信号が前記ハウジングの間に送信されるような導体を内蔵する請求項１乃至１０の何れか１項に記載のオーディオ装置。
【請求項１２】
前記ハウジングが取り付けられていないときには、前記メガネフレームは、電気的に不活性である請求項１乃至１１の何れか１項に記載のオーディオ装置。
【請求項１３】
他方のハウジングと電気的に接続可能且つ固定可能であり、メガネフレームと電気的に接続可能な回路を含む第１及び第２ハウジングを含み、
前記メガネフレームは、前記ハウジングが固定されていないときには、電気的に不活性であるオーディオ装置。
【発明の詳細な説明】
【技術分野】
【０００１】
本発明は、オーディオ装置に関し、特に、パーソナルオーディオ装置、例えばユーザが移動通信機器を使用し、ラジオ、ＭＰ３又はその他のオーディオデータファイルなどを聞くことができるようにするオーディオ装置に関する。
【背景技術】
【０００２】
人々は、よく、移動通信機器、例えば携帯電話を使用し、又はパーソナルオーディオ装置を使って音楽又はラジオを聞くことを望む。しかしながら、メガネ又はサングラスを装着する人々にとっては、オーディオ装置のヘッドフォン若しくはイヤホン又はハンズフリー携帯電話装置のイヤホンは、よく、メガネのイヤホン又はつるテンプルの邪魔になり、その結果、例えばヘッドフォンがユーザの頭の両側に対して内部にメガネのイヤホン又はテンプルを押す傾向にあるので、オーディオ装置又はハンズフリー装置がメガネを装着しながら使用されることは快適ではない。
【発明の開示】
【０００３】
本発明の目的は、そのような環境での使用に適するオーディオ装置を提供することである。
【０００４】
本発明によれば、１組のスピーカに信号を出力する信号生成モジュールを含むオーディオ装置であって、スピーカは、それぞれのハウジングの上に取り付けられ、ハウジングの一方は電力供給ユニットを含み、ハウジングの他方は信号生成モジュールの少なくとも一部を含み、ハウジングは、メガネフレームによって支えられるように取り付けられるオーディオ装置が提供される。
【０００５】
ハウジングは、オーディオ装置に対する紛失又は損傷の危険を低減するための安全ストラップとしても機能するストラップによって他方のハウジングと電気的に接続されても良い。
【０００６】
代替的には、ハウジングは、メガネフレームのフェイスを横切るように通過するワイヤによって他方のハウジングと電気的に接続されても良い。
【０００７】
ハウジングは、好適には、耳の上及び／又は後ろに装着されるように構成される支持領域を画定する。
【０００８】
そのような構造は、ユーザがほぼ通常の方法でメガネを装着することに利点があり、メガネのアーム／イヤホンは、耳の上に直接あるよりもむしろハウジングの支持領域の上にある。スピーカは、ユーザの頭の両側に対して押されないので、オーディオ装置は快適に改良されている。
【０００９】
代替的には、支持領域は、関連するハウジングが例えばメガネのアーム又はイヤホンによって支えられるように構成されても良い。そのような構成では、メガネは、標準的に装着されるであろう。
【００１０】
モジュールは、例えばラジオ受信機又はＭＰ３プレーヤを含んでも良い。ラジオ受信機は、他のオーディオ装置、例えば携帯電話、コンパクトディスクプレーヤ、ＭＰ３又はその他のデータファイルプレーヤなどと接続可能な送信機から送信される信号を受信するように構成されても良い。オーディオ装置が携帯電話又は他の移動通信機器と用いられる場合には、オーディオ装置は、好ましくは、マイクを更に含む。マイクは、例えばモジュールの中に設けられても良い。更に、モジュールは、例えば携帯電話に信号を送信する送信機を含んでも良い。
【００１１】
本発明の１つの重要な利点は、それら自身が内部的な電力供給を持たないので、オーディオ装置とともに使用されるとき以外はメガネが電気的に不活性となることである。
【００１２】
ハウジングは、好適には、ハウジングに対するメガネの位置を決める位置決め手段を備えても良い。例えば、ハウジングは、溝又はチャネルを内蔵するように設計されても良い。代替的には、各ハウジングは、ハウジングに対するメガネの位置を決めるようにするメガネのアーム／イヤホンに接触して直立フランジを備えても良い。更に、代替的には、ハウジングに対するメガネの位置を決めるアーム／イヤホンの中に設けられる対応する構造と係合可能な直立構造をハウジングに設けても良い。
【００１３】
ハウジングの間の電気的接続は、メガネのフェイスを横切るように通過するワイヤを用いて作られていて、各ハウジングは、好適には、メガネのテンプルの近接部上に設けられる対応する接続手段と接続するように構成される接続手段を備えている。１つの実施例では、接続手段の少なくとも幾つかは、拡張される位置に向かって弾性的に付勢される電気コンタクトを含む。弾性バイアスは、例えばエラストマー材料を用いて得られても良い。
【００１４】
本発明のその他の態様によれば、各スピーカを支持し、メガネフレームに対して固定可能な第１及び第２ハウジングと、ハウジング内に設けられる回路及びメガネフレーム内に設けられる部品である電気的接続を設ける電気的接続手段を含むオーディオ装置が提供される。
【００１５】
部品は、信号生成モジュールの少なくとも一部を含んでも良い。代替的には又は追加的は、ハウジングの間に電気的接続を設けるワイヤ又は導体を含んでも良い。当然のことながら、そのような構造では、メガネフレームからハウジングを取り外すことでメガネフレームを電気的に不活性な状態にしても良い。
【発明を実施するための最良の形態】
【００１６】
本発明は、添付の図面を参照し、例示の目的で更に説明される。
【００１７】
図１に図示されるオーディオ装置は、メガネ又はサングラスとの使用を目的としている。メガネ／サングラスは、一般的には、従来の形状であっても良いが、オーディオ装置とともに動作するように専用に修正又は設計されても良い。
【００１８】
一般的なメガネ又はサングラスは、レンズ１４を支持するフェイス１２を有するフレーム１０を含む。目的とするメガネ／サングラスの使用に依存するので、レンズ１４は、近視又は遠視のような視力障害を是正するように設計されても良く、及び／又は着色されるように（審美的な理由で又はメガネがサングラスとして機能できるようにレンズを通過する光量を低減する理由で）設計されても良く、及び／又は入射光線から有害な紫外線をフィルタに装着するように設計されても良い。フェイス１２は、テンプル１６に接続されるヒンジを画定する形状を備えている。テンプルは、フェイス１２から後方に伸び、使用中に、ユーザの耳を横切り、後ろを通るように構成される。
【００１９】
テンプルによって直接支えられるレンズのある縁なしのフレームもまた知られており、本発明は、そのようなメガネの構造にも適用され、他のメガネの構造にも適用される。
【００２０】
本発明のこの実施例のオーディオ装置は、それぞれがスピーカ２０を支えるように構成される１組のハウジング１８を含む。ボールソケット型の土台２２は、スピーカ２０がハウジング１８と連動して動けるように各スピーカ２０を対応するハウジング１８に接続する。ボールソケットの結合部は、構成部品に手が用いられることのない簡易的な物である。スピーカ２０は、極めて小さな寸法であり、ユーザの外耳道の入口に近接するとすぐに浮遊しながら用いられることを目的とするが、必要であれば、インナーイヤスピーカとして用いられても良い。
【００２１】
ハウジング１８は、ストラップ２４と相互接続される。ストラップ２４は、空洞のあるチューブ状の形状であり、ワイヤ又はリード線３２は、信号がハウジング１８の一方から他方へ通過できるように設けられる。ストラップ２４は、様々な材料であっても良く、例えば、革、布、金属の連結金具、例えばブレードケーブルのようなブレード又はエラストマー材料であっても良い。
【００２２】
添付の図面に図示されるように、ハウジング１８の上部の部品は、メガネのテンプル１６の部品を受け入れることを目的として画定される溝又はチャネル３４の間に直立フランジを含むような形状である支持領域を形成する。
【００２３】
例えば、メガネを装着している間にラジオ又は他の送信される信号をユーザが聞けるようにするラジオ受信機のあるメガネ又はサングラスを提供するという要望がある。送信される信号は、例えば、携帯電話若しくは他の移動通信機器の出力端子、ＣＤプレーヤ、ＭＰ３若しくは他のデータファイルプレーヤ又はメッセージング装置を含む様々な他の機器に取り付けられる装置によって送信される信号を含んでも良い。ステレオ信号を聴くためには、信号は、メガネの両方のイヤホンに供給されなければならず、標準的な配置は、両方のスピーカに信号を供給するようにメガネの前を横切る配置が必要であろう。本発明のこの実施例は、ユーザの顔の前を横切るフレーム１０の前よりもむしろユーザの首又は頭の後ろのストラップ２４を縦断する信号伝送ワイヤ又はリード線３２がメガネの構造の上に設けられるという設計制約なしに、ユーザが例えばラジオ又は他の送信される信号を聞けるようにする。
【００２４】
図２に示されるように、メガネは、ラジオ受信機３６を内蔵するように設計される。受信機３６は、好適には、適合する回路を支える小さな回路基板を含み、例えば、使用中にユーザのテンプルに近接するテンプル１６の１つの中又は上に設けられても良い。導電体３８は、好適には、受信機３６が設けられるテンプル１６の中に設けられ、導体３８は、使用中にハウジング１８の一方のチャネル３４の中で受信される位置にあるテンプル１６（図３を参照）の反対側に設けられるターミナルプレート４０に終結する。ハウジング１８は、使用中にターミナルプレート４０を受信機３６とハウジング１８の中に設けられる回路を接続することに従事させるように構成されるコンタクト４２、他方のハウジング１８とラジオ受信機３６を接続するストラップ２４の中に設けられるワイヤ３２を備えている。他方のハウジング１８は、受信機３６に対するハウジング１８の一方を通して電力を供給するために用いられる電力供給ユニットを内蔵する。当然のことながら、この実施例では、受信機３６とともにハウジング１８に設けられる回路は、本発明の信号生成モジュールを形成する。
【００２５】
信号生成モジュール２８は、様々な形状をとっても良い。一例としては、小さなラジオ受信機又はＭＰ３若しくは他のオーディオデータファイルプレーヤを含んでも良い。信号生成モジュール２８の更なる可能性は、例えば携帯電話がオーディオ装置を使いながら手で持てるようにするＢｌｕｅｔｏｏｔｈ型送信機／受信機を内蔵する。モジュールの更なる可能性は、例えば携帯電話、ＭＰ３プレーヤ、ＣＤプレーヤなどに適合する予備送信機から送信される信号を受信する。このことは、信号がマイクロ波をかなり下回る周波数で送信されても良いという利点があると考えられるので、受信機に近接する位置にある人体の一部に無害であると考えられる。
【００２６】
例えば携帯電話のような移動通信機器とともに利用される場合には、好適には、受信機３６はマイクも内蔵し、移動通信機器によって受信されるマイクからの信号を送信するように構成される送信機としても機能する。
【００２７】
使用中には、ユーザは、再生される音が聞こえるように、ハウジング１８がユーザの耳に適合するように設けられるスピーカ２０とともにユーザの耳の上及び後ろに位置するようなオーディオ装置を装着する。ストラップ２４は、ユーザの頭又は首の後ろを通過する。ユーザは、ユーザの耳の上に直接置かれているテンプルを有するよりもむしろ、ハウジング１８のチャネル３４の中にメガネのテンプル１６を設けるので、ほぼ通常の方法でグラス／サングラスを装着することができる。メガネのハウジング１８とテンプル１６の間の連携は、適切な位置にメガネを設け、しっかりと手に持たれ、ハウジング１８とメガネの間の電気コンタクトを維持するように機能する。
【００２８】
ハウジング１８は、好適には、エラストマー材料であり、それのチャネル３４は、好適には、メガネのテンプル１６より幅が僅かに小さいので、テンプル１６は、ハウジング１８によって握られる。それ故に、当然のことながら、ストラップ２４は、メガネの安全ストラップとしても機能できる。
【００２９】
図２，３に示される接続配置を用いるよりもむしろ、受信機３６又は他の信号生成モジュールとスピーカ２０の間の電気的接続を提供するために、図４に示されるような単純なプラグソケット配置４４が用いられても良い。
【００３０】
上記の実施例では、電力供給ユニットは、好適には、ハウジング１８の一方の中に設けられる充電式バッテリを形成する。バッテリの充電を可能にするのに適合する装置の中にドックを提供することが望ましい。ＭＰ３プレーヤ又は他のオーディオファイルプレーヤが装置の中に内蔵される場合には、ドックは、データファイルをプレーヤにダウンロードさせられるように機能しても良い。
【００３１】
ハウジングに関連するメガネのイヤホン又はアームを設けるために機能する溝を画定する１組のフランジを各ハウジングに設けるよりもむしろ、各ハウジングは、使用中にハウジングに対して横方向にメガネを設けるための関連するテンプルの一方に近接する位置にあるように構成される単一の直立フランジを内蔵しても良い。明らかなことは、１組のフランジの間に画定される溝又はチャネルの中に設けられるよりもむしろ、テンプルが単一のフランジにかみ合う場合には、代替的な電気的接続配置は、ハウジングの中に含まれる回路及び電力供給ユニットをモジュールに電気的に接続することを要件としても良いし、他の手段は、メガネにハウジングを固定することを要件としても良い。
【００３２】
図５〜９は、ハウジング１８がメガネのアーム又はイヤホンを設けるためのフランジを備えているのではなく、ハウジング１８がメガネのアーム又はイヤホン１６の中に設けられる対応するリセス５２の中に受け取れる直立位置決め突起５０を備えても良いような代替的な配置を図示する。テンプル１６の一方及び関連するハウジング１８の一方は、電力供給ユニットからの電力が受信モジュール３６に送信されるようにし、受信モジュール３６からの出力信号がハウジング１８の一方を通過できるようにするために、メガネのテンプル１６の一方によって支えられる受信モジュール３６と関連するハウジング１８の一方の中に設けられる回路の間に電気的接続を提供する。リード線３２は、ハウジング１８の他方及び関連するスピーカ２０に対して適切な出力信号を送信するために用いられる。
【００３３】
図８，９に示されるように、メガネとともに使用されない場合には、予備ハウジング５６は、オーディオ信号を供給するためのハウジング１８の一方に接続されても良い。狂態５６は、リード線５８を介して、ストラップ２４によって支えられるような例えば受信モジュール３６に類似する信号生成モジュール又は他の場所に接続されても良い。類似のダミーのハウジングは、審美的な目的でハウジング１８の他方に対して接続可能であっても良い。
【００３４】
図１０〜１３は、本発明のその他の実施例を図示する。ここでは、２つのハウジングの間で電力及び信号を送信するネックストラップの中に設けられるケーブルを用いるよりもむしろ、メガネの中に設けられるワイヤ又は導体がこの機能を果たすために用いられる。図１１は、ヒンジによってフェイスアセンブリ７２（図１２を参照）と接続される１組のテンプル７０を含むサングランスのフレームを図示する。フェイスアセンブリ７２は、それぞれがテンプル７０のそれぞれにヒンジで連結される１組のフェイスサポート７４を含み、フェイスサポート７４は、接続バー７６によって相互接続される。接続バー７６と各フェイスサポート７４の中間部分は、フェイスコンポーネント８０が固定される形状７８を備え、フェイスコンポーネント８０は、使用中に１組のレンズを支える縁を画定し、着用者の鼻にもたれるパッドを含む。必要に応じて、フェイスコンポーネント８０がテンプル、フェイスサポート及び接続バーの共通の構造を全て用いて、多くのフレーム様式が提供されるように入れ替えられるような構造である。
【００３５】
テンプル７０、フェイスサポート７４及び接続バー７６は全て、テンプル７０の一方に設けられる接続パッド８２とテンプル７０の他方に設けられる対応するパッド８２の間を電力及び信号が通過できるようにワイヤ又は他の導電体を内部的に支える。パッド８２は、上記の対応するワイヤ又は導体の一方と電気的に接続されるエラストマー材料のブロックの上に取り付けられる導電性材料の成分を含む。エラストマー材料は、パッド８２に弾力性のあるバイアス力をかける。
【００３６】
ハウジング８４は、各テンプル７０に対して固定可能である。各ハウジング８４は、関連するテンプル７０の一部がある棚８６を画定する上部の部品８４ａを含み、ハウジング８４は、１又は複数の回路基板を含む。回路基板上に設けられる回路は、使用中にワイヤ又は導体とピン８８を用いて接続される。ピン８８は、パッド８２とかみ合い、弾力性のあるバイアス力が電気的接続を維持するエラストマー材料によって提供される。
【００３７】
ハウジング８４は、好適には、テンプル７０上に設けられる対応する形状とかみ合うことができるハウジング８４上に設けられる形状によって各テンプル７０と固定可能である。形状の少なくとも１つは、好適には、関連するテンプル７０からハウジング８４が解放できるように可動である。図示されるように、テンプルは、好適には、対応するハウジング８４に対するリセスを備えている。リセスの提供は、装置の外観を改善し、使用中にハウジング８４を最終的に位置決めするためにも機能する。
【００３８】
スピーカ９４が取り付けられるスピーカ幹９２から伸びるより低いハウジング部分８４ｂは、ハウジング部分８４ａのより低い部分と摺動自在に接続され、スピーカ９４は、ハウジング８４の中に設けられる回路基板と幹９２の中を通って延びるケーブルによって接続される。より低いハウジング部分８４ｂの摺動自在な接続は、着用者に適合するｆｏｒｅ−ａｆｔ方向に位置を調節できるようにする。スピーカ９４に対する幹９２の接続は、好適には、ボールソケットの結合部が、追加の調節可能にするために更にはめ込まれるように構成されても良く、その軸の周りの幹の制限される角運動を可能にするように構成されても良い。
【００３９】
ハウジング８４の一端に設けられる回路基板は、例えば充電式バッテリの形で電力供給ユニットを含む。ハウジングの他方に設けられる回路基板は、信号生成モジュールとして機能し、上記のどの機能を果たしても良い。このハウジング８４の一方は、好適には、着用者がその動作を制御できるようにするためのボタン９６とともに形成される。
【００４０】
当然のことながら、サングラスに設けられるワイヤ又は導体は、両方のスピーカが機能を果たせるようにハウジング８４の一方から他方へ信号を伝送するように機能し、電力供給ユニットから信号生成モジュールに電力を送るようにも機能する。
【００４１】
上記の構成によれば、ハウジング８４がサングラスから分離されているときには、サングラスは不活性であり、回路が可動するためには、両方のハウジングが必要とされる。更に、フェイスコンポーネントが入れ替えられるように、様々な様式が比較的容易に設けられる。
【００４２】
ボタンの機能、数及び位置は、信号生成モジュールの種類に依存する。例えば、いくつかの製品では、ボタンは、音量、低音／高音及び出力がモノ出力であるか又はステレオ出力であるかなどを制御しても良い。
【００４３】
当然のことながら、本発明の範囲内で上記の構成に対して多くの修正及び代替がなされても良く、本願は、そのような全ての修正及び代替を含む。例示のみを目的として、メガネのテンプルがだんだん細くなる形状であり、ハウジング１８が、アームを挿入できる通路で形成されても良く、その通路の形状は、ハウジング１８に対して所望の位置にメガネを固定するアームとともに動作し、ハウジングとメガネの間で電力及び信号を送るのに適切な電気的接続が設けられる。一度使用されると、ハウジングは、ユーザの耳がそのような動きを妨げようとするので、メガネのテンプルから滑り落ちることはない。必要に応じて、支持部材は、メガネが用いられないときに装置が利用できるようにされても良い。支持部材は、ユーザの耳の上及び／又は後ろにかみ合うように構成されても良く、関連するハウジングの通路の中に差し込まれるように構成されても良い。好適には、エラストマー材料がハウジング及び／又は支持部材の製品に用いられる。もちろん、様々な修正及び代替が可能である。
【図面の簡単な説明】
【００４４】
【図１】本発明の一実施例に係るオーディオ装置の斜視図である。
【図２】本発明とともに用いられるメガネの一部を図示する図である。
【図３】本装置と１つのメガネの間に電気的接続を設ける方法を図示する。
【図４】本装置と１つのメガネの間に電気的接続を設ける方法を図示する。
【図５】本発明の代替的な実施例を図示する図である。
【図６】図５の実施例において用いられる１つのメガネの一部の図である。
【図７】図５の実施例のオーディオ装置の一部の図である。
【図８】図５の実施例のオーディオ装置を図示する図である。
【図９】図８に示される動作のモードにおけるオーディオ装置の一部を図示する図である。
【図１０】本発明の追加の実施例を図示する。
【図１１】本発明の追加の実施例を図示する。
【図１２】本発明の追加の実施例を図示する。
【図１３】本発明の追加の実施例を図示する。
【図１】
2008545287.tif 000003
【図２】
2008545287.tif 000004
【図３】
2008545287.tif 000005
【図４】
2008545287.tif 000006
【図６】
2008545287.tif 000007
【図７】
2008545287.tif 000008
【図８】
2008545287.tif 000009
【図９】
2008545287.tif 000010
【図１０】
2008545287.tif 000011
【図１１】
2008545287.tif 000012
【図１２】
2008545287.tif 000013
【図１３】
2008545287.tif 000014
【国際調査報告】
2008545287.tif 000015
2008545287.tif 000016